(57)【特許請求の範囲】
【請求項１】
平常時には系統の全停を検出すると所定時間の経過後に遮断器を遮断すると共に事故後の自動復旧を行う自動復旧機能を持ち、試験時にはテストプラグが挿入される自動復旧装置において、
母線の電圧が有りのときに閉じる第１の接点と、
送電線の電圧が有りのときに閉じる第２の接点と、
前記送電線に対する自動復旧機能が有効である場合に閉じる第３の接点と、
前記テストプラグの挿入により閉じる第４の接点と、
を備え、
前記第１の接点〜前記第４の接点を直列に接続した第１の直列回路のすべての接点が閉じたときに、自動復旧機能を不使用にすることを特徴とする自動復旧装置。
【請求項２】
装置全体の平常使用で閉じる第５の接点を前記第１の直列回路に対して直列に加えたことを特徴とする請求項１に記載の自動復旧装置。
【請求項３】
前記母線から検出した電圧が無しのときに閉じる第６の接点と、
前記送電線から検出した電圧が無しのときに閉じる第７の接点と、
を備え、
前記第６の接点と第７の接点とを直列に接続した第２の直列回路を、前記第１の直列回路に対して直列に備えることを特徴とする請求項１または２に記載の自動復旧装置。
【請求項４】
試験中かどうかによって開閉されるスイッチの接点と、
前記母線から検出した電圧が無しのときに閉じる第８の接点と、
前記送電線から検出した電圧が無しのときに閉じる第９の接点と、
を備え、
前記スイッチの接点と前記第８の接点と第９の接点とを直列に接続した第３の直列回路を、前記第２の直列回路に対して直列に備え、前記第２の直列回路または前記第３の直列回路を前記第１の直列回路に選択して接続することを特徴とする請求項３に記載の自動復旧装置。
【請求項５】
前記第３の接点と、前記第５の接点と、前記第６の接点〜前記第９の接点とは、装置内にあらかじめ設けられているリレー要素であることを特徴とする請求項１〜４のいずれか１項に記載の自動復旧装置。
【発明の詳細な説明】
【技術分野】
【０００１】
この発明は、発電所や変電所に設置されて用いられる自動復旧装置に関する。
【背景技術】
【０００２】
発電所や変電所の母線から、次の変電所の母線に送電線で電力を送っている場合に、例えばこの送電線に事故が発生すると、送電線保護継電器による遮断器「切」後、自動復旧装置（ＡＲＥ）が自動復旧機能（以下、「ＡＲＥ機能」という）により遮断器を制御して事故区間を復旧（遮断器「入」）するケースと、全停検出し、遮断後復旧するケースがある。後者の場合では、平常時には系統の全停を検出すると、所定時間の経過後に遮断器を遮断し、また、事故後の自動復旧を行う機能である。自動復旧装置が遮断器を制御して、停電した送電線を自動的に復旧する。このとき、自動復旧装置は、実系統から受け取った各種の信号を基にして、ＡＲＥ機能により自動復旧を行う。
【０００３】
こうした自動復旧装置の試験を行う場合、作業者が例えば開放電圧テストプラグ（ＰＴＴ）を自動復旧装置に挿入し（例えば、特許文献１参照。）、自動復旧装置を実系統から切り離す。一方、自動復旧装置は次の全停遮断機能を持つ。つまり、自動復旧装置は、一般的に、
ａ．発電所や変電所の母線電圧、送電線の線路電圧が第１の所定電圧以下になり、この状態が全停検出時間継続した場合、
ｂ．発電所や変電所の母線電圧、線路電圧が第２の所定電圧以下になり、この状態が所定時間継続した場合、
ｃ．周波数が低下した場合
のいずれかで、全停と判断する。なお、第２の所定電圧は第１の所定電圧に比べて高い値である。自動復旧装置は全停と判断すると、遮断器にトリップ信号を送り、遮断器をトリップさせる。ＡＲＥ機能中のこうした全停遮断機能の使用・不使用は、自動復旧装置の運用時に送電線毎に、自動復旧装置に対して設定することができる。
【０００４】
つまり、自動復旧装置の試験を行う場合、作業者は、自動復旧装置の不使用を設定してから、つまり自動復旧装置をロックしてから、例えば開放電圧テストプラグを自動復旧装置に挿入する。
【特許文献１】実公平７−３６４４４号公報
【発明の開示】
【発明が解決しようとする課題】
【０００５】
ところで、自動復旧装置の試験を行う場合、作業者は、自動復旧装置をロックしてから、例えば開放電圧テストプラグを自動復旧装置に挿入するが、このときに例えば、作業者が別の作業に追われていると、ロックを失念することがある。このような失念が生じると、開放電圧テストプラグを自動復旧装置に挿入した後、全停検出時間が経過すると、自動復旧装置はＡＲＥ機能によりトリップ信号を遮断器に送る。この場合、実系統での誤遮断となり、電力供給に支障が発生する。
【０００６】
この発明の目的は、前記の課題を解決し、自動復旧装置を試験する際の誤遮断を防止することを可能にする自動復旧装置を提供することにある。
【課題を解決するための手段】
【０００７】
前記の課題を解決するために、請求項１の発明は、平常時には系統の全停を検出すると所定時間の経過後に遮断器を遮断すると共に事故後の自動復旧を行う自動復旧機能を持ち、試験時にはテストプラグが挿入される自動復旧装置において、母線の電圧が有りのときに閉じる第１の接点と、送電線の電圧が有りのときに閉じる第２の接点と、前記送電線に対する自動復旧機能が有効である場合に閉じる第３の接点と、前記テストプラグの挿入により閉じる第４の接点とを備え、前記第１の接点〜前記第４の接点を直列に接続した第１の直列回路のすべての接点が閉じたときに、自動復旧機能を不使用にすることを特徴とする自動復旧装置である。
【０００８】
請求項１の発明では、自動復旧装置は、自動復旧機能により、平常時には系統の全停を検出すると所定時間の経過後に遮断器を遮断し、また、事故後の自動復旧を行う。こうした自動復旧装置の試験時にはテストプラグが挿入される。このとき、第１の接点は母線の電圧が有りのときに閉じ、第２の接点は送電線の電圧が有りのときに閉じ、第３の接点は送電線に対する自動復旧機能が有効である場合に閉じている。こうした状態のときに、テストプラグが挿入されると、第４の接点が閉じる。これにより、第１の直列回路のすべての接点が閉じて、自動復旧機能を不使用にする。
【０００９】
請求項２の発明は、請求項１に記載の自動復旧装置において、装置全体の平常使用で閉じる第５の接点を前記第１の直列回路に対して直列に加えたことを特徴とする。
【００１０】
請求項３の発明は、請求項１または２に記載の自動復旧装置において、前記母線から検出した電圧が無しのときに閉じる第６の接点と、前記送電線から検出した電圧が無しのときに閉じる第７の接点とを備え、前記第６の接点と第７の接点とを直列に接続した第２の直列回路を、前記第１の直列回路に対して直列に備えることを特徴とする。
【００１１】
請求項４の発明は、請求項３に記載の自動復旧装置において、試験中かどうかによって開閉されるスイッチの接点と、前記母線から検出した電圧が無しのときに閉じる第８の接点と、前記送電線から検出した電圧が無しのときに閉じる第９の接点とを備え、前記スイッチの接点と前記第８の接点と第９の接点とを直列に接続した第３の直列回路を、前記第２の直列回路に対して直列に備え、前記第２の直列回路または前記第３の直列回路を前記第１の直列回路に選択して接続することを特徴とする。
【００１２】
請求項５の発明は、請求項１〜４のいずれか１項に記載の自動復旧装置において、前記第３の接点と、前記第５の接点と、前記第６の接点〜前記第９の接点とは、装置内にあらかじめ設けられているリレー要素であることを特徴とする。
【発明の効果】
【００１３】
請求項１の発明によれば、開放電圧のテストプラグを自動復旧装置に挿入して自動復旧装置を試験する際に、自動復旧機能を不使用にすることを失念して、第３の接点が閉じた状態のままであっても、テストプラグを挿入すると、第４の接点が閉じる。この結果、第１の接点〜第４の接点のすべてが閉じるので、自動復旧機能を不使用にし、誤遮断を防止することができる。
【００１４】
請求項２の発明によれば、装置全体の平常使用で閉じる第５の接点を第１の直列回路に対して直列に加えたことにより、第３の接点を開くことを失念しても、第５の接点の操作により自動復旧機能を不使用にすることができる。さらに、第３の接点と第５の接点を開くことを失念しても、第１の直列回路のすべての接点が閉じるので、自動復旧機能を不使用にし、誤遮断を防止することができる。
【００１５】
請求項３の発明によれば、母線から検出した母線電圧が無しのときに閉じる第６の接点と、送電線から検出した線路電圧が無しのときに閉じる第７の接点とを設けることにより、開放電圧用ではないテストプラグを挿入しても、第６の接点や第７の接点が開くので、誤遮断を防止することができる。
【００１６】
請求項４の発明によれば、二重母線に対しては第２の直列回路を用いることが最適であり、また、一重母線に対して第３の直列回路を用いることが最適であるので、１つの装置で二重母線と一重母線との併用を可能にする。
【００１７】
請求項５の発明によれば、自動復旧装置に備わっているリレー要素を流用するので、誤遮断を防止するための装置の構造を簡単化し、装置のコストを抑えることが可能である。
【発明を実施するための最良の形態】
【００１８】
次に、この発明の実施の形態について、図面を用いて詳しく説明する。以下の説明では自動復旧装置が変電所で用いられている場合を例として説明する。
【００１９】
（実施の形態１）
この実施の形態による自動復旧装置の設置例を図１に示す。図１の系統には、この実施の形態による自動復旧装置１Ａ、１Ｂが用いられ、自動復旧装置１ＡはＡ変電所に設置され、自動復旧装置１ＢはＢ変電所に設置されている。Ａ変電所は、送電線１０１と送電線１０２とにより電力をＢ変電所に送る。Ａ変電所とＢ変電所とは同じような状態であるので、以下ではＡ変電所について説明し、Ｂ変電所の説明を省略する。
【００２０】
Ａ変電所では、送電線１０１、１０２は母線２Ａに接続され、送電線１０１には遮断器（ＣＢ）３Ａ１が設置され、送電線１０２には遮断器（ＣＢ）３Ａ２が設置されている。自動復旧装置１ＡはＡＲＥ機能を持つ。つまり、自動復旧装置１Ａは、母線２Ａに設置されている計器用変圧器４Ａ１からの母線電圧と、送電線１０１に設置されている計器用変圧器４Ａ２からの線路電圧と、送電線１０２に設置されている計器用変圧器４Ａ３からの線路電圧とを基にして、遮断器３Ａ１、３Ａ２の開閉を制御する。例えば、Ａ変電所がＢ変電所へ電気を供給しており、送電線１０２は作業により停電中である場合がある。さらに、Ｂ変電所には保護継電器が設置されていない場合がある。このような状態で、図２（ａ）に示すように、送電線１０１に事故Ｓが発生した場合、Ａ変電所では送電線１０１用に設置されている保護継電器により事故Ｓを検出して、遮断器３Ａ１を遮断する。送電線１０２は作業により停電中であったため、送電線１０１の遮断により、Ｂ変電所へ供給される電気が全てストップし、線路・母線とも電気無しの状態となる。これにより、Ｂ変電所では、
ａ．送電線１０１側の線路電圧無し
ｂ．母線電圧（２Ｂ）無し
を自動復旧装置１Ｂが検出し、自動復旧装置１Ｂにより遮断器３Ｂ１を遮断する。この結果、図２（ｂ）に示すように、送電線１０１が停電する。この後、自動復旧装置１Ａ、１ＢがＡＲＥ機能により母線電圧や線路電圧などに応じて遮断器３Ａ１を投入し、同時に自動復旧装置１Ｂが遮断器３Ｂ１を投入して、送電線１０１を自動復旧する。
【００２１】
こうした自動復旧装置１Ａは、図３に示すように、各回線毎のテストターミナル１１、入力変換器１２、第１処理部１３、第２処理部１４、接点入力部１５、接点出力部１６、事故判定部１７および接点出力部１８を備えている。さらに、自動復旧装置１Ａは、ＡＲＥ不使用制御回路２１と、誤挿入検出回路２２と、各回線毎の電圧検出回路２３Ａおよび電圧検出回路２３Ｂとを備えている。なお、第１の回線〜第ｎの回線は回線数（送電線の数）に応じたものであり、図１の場合はｎ＝２である。
【００２２】
テストターミナル１１は、計器用変圧器４Ａ１からの母線電圧（図３では「ＶＢ」と記載）、計器用変圧器４Ａ２からの線路電圧（図３では「ＶＬ」と記載）を中継して入力変換器１２に送る。テストターミナル１１は図４に示すように、絶縁体で作られた収納部１１Ａに凹部１１Ａ１が形成されている。凹部１１Ａ１の内部には、凸状に湾曲した導電性の接触片１１Ａ２、１１Ａ３が設けられ、接触片１１Ａ２、１１Ａ３は頂部で互いに電気的に接触している。図４では、接触片１１Ａ２、１１Ａ３は、母線２Ａの計器用変圧器４Ａ１のためのものであり、接触片１１Ａ２、１１Ａ３が２つで１組の接続部が形成され、この接続部が母線２Ａの計器用変圧器４Ａ１に接続される。
【００２３】
接触片１１Ａ２、１１Ａ３の端部は凹部１１Ａ１の底部に固定され、接触片１１Ａ２、１１Ａ３の端部は端子１１Ａ４、１１Ａ５に電気的に接続されている。一方の端子１１Ａ４は計器用変圧器４Ａ１側に接続され、他方の端子１１Ａ５は入力変換器１２に接続されている。こうした構造により、図５に示すようなテストプラグ２００が抜き差し可能となる。
【００２４】
テストプラグ２００は、開放プラグであり、自動復旧装置１Ａを試験する際に使用される。テストプラグ２００は、図６に示すように、両面に細長状の電極２１１が設けられている絶縁板状の挿入部２１０と、端子２２１Ａ、２２１Ｂ、２２２Ａが取り付けられている端子部２２０とで構成されている。端子２２１Ａ、２２１Ｂは１組で用いられ、例えば母線２Ａの計器用変圧器４Ａ１に対応する。図６では、残りの１組の中で端子２２２Ａだけが示されているが、端子２２２Ａを含む１組が送電線１０１の計器用変圧器４Ａ２に対応する。テストプラグ２００の挿入により、例えば、端子２２１Ａがテストターミナル１１の端子１１Ａ４に電気的に接続され、端子２２１Ｂがテストターミナル１１の端子１１Ａ５に電気的に接続される。そして、例えば１組の端子２２１Ａ、２２１Ｂを利用して、母線２Ａの計器用変圧器４Ａ１の代わりに試験信号を加えることで、自動復旧装置１Ａの試験を行う。
【００２５】
テストターミナル１１には、さらに次の構造が付加されている。つまり、テストターミナル１１の底部には押下スイッチ１１Ｃが設けられている。押下スイッチ１１Ｃの棒状の押しボタン１１Ｃ１がテストターミナル１１の凹部１１Ａ１の底部から突出している。そして、テストプラグ２００がテストターミナル１１に差し込まれると、テストプラグ２００の底部の側面が押しボタン１１Ｃ１と接触し、これにより押しボタン１１Ｃ１が押し下げられ、押下スイッチ１１Ｃの本体１１Ｃ２の中に設けられているスイッチ接点が閉じる。
【００２６】
入力変換器１２は、母線２Ａに設置されている計器用変圧器４Ａ１からの母線電圧と、送電線１０１に設置されている計器用変圧器４Ａ２からの線路電圧と、送電線１０２に設置されている計器用変圧器４Ａ３からの線路電圧とをそれぞれ受け取ると、これらの電圧を低電圧に変換する。そして、入力変換器１２は、低電圧に変換した母線電圧と各線路電圧を第１処理部１３と第２処理部１４に送る。
【００２７】
接点入力部１５は接点入力で開閉して入力信号を生成する。接点入力には、例えば、自動復旧装置１Ａの内部にあらかじめ設けられているリレー要素の接点出力によるもの、自動復旧装置１Ａが備える操作パネルの各スイッチ類の接点出力によるもの、別機器のリレー要素やスイッチ類の接点出力によるものがある。自動復旧装置１Ａの内部にあるリレー要素としては、
ａ．８４Ｂリレー…母線電圧「有り」の確認
ｂ．８４Ｌリレー…線路電圧「有り」の確認
ｃ．２７Ｂリレー…母線電圧「無し」の確認
ｄ．２７Ｌリレー…線路電圧「無し」の確認
ｅ．２５（θ）リレー…同期「有り」の確認
ｆ．２５（ΔＦ）リレー…同期「有り」の確認
ｇ．２５（ΔＶ）リレー…同期「有り」の確認
がある。これらのリレー要素は主検出用であり、例えば母線２Ａの母線電圧を確認すると、８４Ｂリレーはリレー接点を閉じる。この接点出力により、接点入力部１５の該当する接点入力が閉じる。こうしたリレー要素は送電線などの線路毎に設けられている。上記のリレー要素は送電線１０１用である。接点入力部１５は、これらのリレー要素の接点出力を接点入力としている。
【００２８】
また、自動復旧装置１Ａの内部にあるリレー要素としては、
２７ＢＦリレー…母線電圧「無し」の確認
がある。このリレー要素はフェールセーフ用である。なお、自動復旧装置１Ａは、後述するように、主検出とフェールセーフの２重構成となっている。
【００２９】
これらの他にも、接点入力部１５に加えられるリレー要素の接点出力には、
４３ＴＬリレー…自動復旧装置１Ａの平常使用の切り換え
があり、自動復旧装置１Ａの装置全体の平常使用でリレー接点を閉じ、装置全体の試験でリレー接点を開く。リレー接点を閉じた状態の接点出力により、４３ＴＬリレーは接点入力部１５の接点入力を閉じる。また、自動復旧装置１Ａのリレー要素には、自動復旧装置１Ａの使用中を表す使用状態リレーがある。このリレー要素は送電線などの線路毎に設けられている。自動復旧装置１Ａが使用中である場合に、使用状態リレーのリレー接点が閉じる。この接点出力により、接点入力部１５は接点入力を閉じる。
【００３０】
一方、別機器のリレー要素やスイッチ類の接点出力には、遠方の制御盤などに具備されているものなどがあり、例えば送電線毎のＡＲＥ機能の使用・不使用を遠隔で設定するものがある。接点入力部１５は、ＡＲＥ機能の使用を表す接点出力により、ハイレベルの使用制御信号をＡＲＥ不使用制御回路２１に送り、ＡＲＥ機能の不使用を表す接点出力により、ハイレベルの不使用制御信号をＡＲＥ不使用制御回路２１に送る。
【００３１】
接点出力部１６は、送電線１０１の遮断器３Ａ１や送電線１０２の遮断器３Ａ２を接点出力により制御する。例えば接点出力を閉じることにより、接点出力部１６は遮断器３Ａ１、３Ａ２を遮断する。接点出力部１８は遠方の監視制御盤などに対する故障表示を制御する。例えば接点出力を閉じることにより、接点出力部１８は監視制御盤に故障表示を通知する。
【００３２】
第２処理部１４は事故判定部１７と共に主検出用のメインリレーとして機能する。第２処理部１４は、入力変換器１２からのアナログ信号である母線電圧と各線路電圧をデジタル信号に変換する。第２処理部１４はデジタルの母線電圧と各線路電圧を事故判定部１７に送る。
【００３３】
事故判定部１７は、デジタルの母線電圧と各線路電圧を受け取ると、これらの電圧を基にして全停検出などを行う。そして、事故判定部１７は、例えば全停と判断すると全停検出時間の経過後に、接点出力部１６を制御して接点出力を閉じることにより、該当する送電線の遮断器を遮断する。同時に、事故判定部１７は、接点出力部１８を制御して、接点出力を閉じることにより、監視制御盤に故障表示を行う。事故判定部１７は、ＡＲＥ不使用制御回路２１からロック信号を受け取ったときには、該当の送電線の遮断が不可能な状態になる。つまり、事故判定部１７はロック信号によりロックされる。逆に、ＡＲＥ不使用制御回路２１からロック解除信号を受け取ると、事故判定部１７は、該当の遮断器の遮断が可能な状態になる。つまり、ロック解除信号により事故判定部１７はロック解除される。
【００３４】
第１処理部１３はフェールセーフ用のフェールセーフリレーとして機能する。第１処理部１３は、第２処理部１４と同様に、入力変換器１２からのアナログ信号である母線電圧と各線路電圧をデジタル信号に変換する。そして、第１処理部１３は、第２処理部１４が機能しない場合に接点出力部１６を制御し、接点出力を閉じることにより該当する送電線の遮断器を遮断する。また、第１処理部１３は、先に述べた各リレー要素である８４Ｂリレー〜２５（ΔＶ）リレーの接点出力を基にして接点出力部１６を制御し、遮断した遮断器を自動復旧する。
【００３５】
ＡＲＥ不使用制御回路２１と誤挿入検出回路２２と電圧検出回路２３Ａおよび電圧検出回路２３Ｂは、自動復旧装置１Ａの試験の際に利用される回路である。つまり、自動復旧装置１Ａが使用状態にあり、実系統が運転中であるときに、開放プラグであるテストプラグ２００を挿入すると、第２処理部１４のＡＲＥ機能の全停遮断機能により、全停検出時間後に遮断器がトリップする。誤挿入検出回路２２とＡＲＥ不使用制御回路２１と電圧検出回路２３Ａおよび電圧検出回路２３Ｂは、こうした事態を防ぐためのものである。
【００３６】
第１の回線用の電圧検出回路２３Ａおよび電圧検出回路２３Ｂは電圧の有無を検出する。電圧検出回路２３Ａは母線２Ａの電圧を検出する。また、電圧検出回路２３Ｂは送電線１０１の電圧を検出する。母線用電圧検出回路２３Ａと線路用電圧検出回路２３Ｂは検出結果を接点出力とし、各接点出力は誤挿入検出回路２２に加えられる。第２の回線〜第ｎの回線の電圧検出回路２３Ａおよび電圧検出回路２３Ｂについても同様である。なお図１の場合、第２の回線の電圧検出回路２３Ｂは送電線１０２の電圧を検出する。
【００３７】
誤挿入検出回路２２は、各回線毎に設けられ、電圧検出回路２３Ａおよび電圧検出回路２３Ｂからの接点出力、各リレー要素のリレー接点を基にして、テストプラグ２００の誤挿入を検出する。誤挿入検出回路２２は、図７に示すように、以下の接点やスイッチの直列回路である。
ａ．接点入力部１５の使用状態リレーのリレー接点（以下、「ＡＲＥ接点ＳＴ１」という）
ｂ．テストターミナル１１のスイッチ接点（以下、「ＴＴ接点ＳＴ２」という）
ｃ．母線用電圧検出回路２３Ａの接点（以下、「ＶＢ接点ＳＴ３」という）
ｄ．線路用電圧検出回路２３Ｂの接点（以下、「ＶＬ接点ＳＴ４」という）
ｅ．接点入力部１５の４３ＴＬリレーのリレー接点（以下、「４３ＴＬ接点ＳＴ５」という）
ｆ．接点入力部１５の８４Ｂリレーのリレー接点（以下、「８４Ｂ接点」という）
ｇ．接点入力部１５の８４Ｌリレーのリレー接点（以下、「８４Ｌ接点」という）
上記ａ〜ｇの接点で構成される、誤挿入検出回路２２の直列回路は、送電線１０１、１０２に対応してそれぞれ設けられている。なお、図７では、すべての接点が開いた状態を表している。
【００３８】
誤挿入検出回路２２の各接点は、先に述べたように、次のように動作する。
ａ．ＡＲＥ接点ＳＴ１…自動復旧装置１Ａの使用中で「接」
ｂ．ＴＴ接点ＳＴ２…テストプラグ２００の挿入で「接」
ｃ．ＶＢ接点ＳＴ３…母線２Ａの電圧（母線電圧）「有り」で「接」
ｄ．ＶＬ接点ＳＴ４…送電線１０１の電圧（線路電圧）「有り」で「接」
ｅ．４３ＴＬ接点ＳＴ５…自動復旧装置１Ａの装置全体の平常使用で「接」
ｆ．８４Ｂ接点…母線２Ａの電圧（テストターミナル１１経由）「無し」で「接」
ｇ．８４Ｌ接点…送電線１０１の電圧（テストターミナル１１経由）「無し」で「接」
なお、上記ａ〜ｇの「接」は、リレー要素のリレー接点やスイッチの接点が閉じた状態を表す。
【００３９】
誤挿入検出回路２２の送電線１０１用の直列回路（以下、単に「誤挿入検出回路２２」という）は、すべての接点が「接」になったときに、ハイレベルの信号をＡＲＥ不使用信号としてＡＲＥ不使用制御回路２１に出力する。つまり、
ａ．自動復旧装置１Ａが使用中である
ｂ．テストプラグ２００の挿入された
ｃ．母線２Ａの電圧が「有り」
ｄ．送電線１０１の電圧が「有り」
ｅ．自動復旧装置１Ａが装置全体の平常使用に設定されている
ｆ．母線２Ａの電圧（テストターミナル１１経由）が装置内で「無し」
ｇ．送電線１０１の電圧（テストターミナル１１経由）が装置内で「無し」
の条件がすべて満たされたときに、ハイレベルのＡＲＥ不使用信号をＡＲＥ不使用制御回路２１に出力する。
【００４０】
ＡＲＥ不使用制御回路２１はＡＲＥ機能を使用するか、または使用しないかを選択するための回路であり、送電線１０１、１０２に対応してそれぞれ設けられている。ＡＲＥ不使用制御回路２１は、図８に示すように、押しボタン式の使用スイッチ２１Ａ、押しボタン式の不使用スイッチ２１Ｂおよびキープリレー２１Ｃ、２１Ｄを備えている。使用スイッチ２１Ａと不使用スイッチ２１Ｂとは、一方がオンのときには他方がオフであり、また、一方がオフのときには他方がオンであるように、互いに連動する切り換えスイッチである。使用スイッチ２１Ａと不使用スイッチ２１Ｂは作業者によって操作され、例えば自動復旧装置１Ａのパネルなどに設けられている。
【００４１】
キープリレー２１Ｃは、Ｓ端子に対する一時的な通電でリレー接点を閉じ、Ｒ端子に対する一時的な通電でリレー接点を開く。そして、キープリレー２１Ｃは、通電が終わった後も開閉の状態を保持している。キープリレー２１Ｄはキープリレー２１Ｃと同様である。こうしたキープリレー２１ＣのＳ端子は使用スイッチ２１Ａと接点入力部１５に接続され、Ｒ端子はキープリレー２１ＤのＳ端子に接続されている。キープリレー２１ＤのＳ端子は不使用スイッチ２１Ｂと接点入力部１５と誤挿入検出回路２２とに接続され、Ｒ端子はキープリレー２１ＣのＳ端子に接続されている。
【００４２】
こうした接続関係により、使用スイッチ２１Ａが押し下げられると、キープリレー２１Ｃのリレー接点が閉じて、キープリレー２１Ｄのリレー接点が開く。また、キープリレー２１Ｃは、ハイレベルの使用制御信号を接点入力部１５から受け取ると、リレー接点を閉じて、ロック解除信号を事故判定部１７に送る。一方、不使用スイッチ２１Ｂが押し下げられると、キープリレー２１Ｃのリレー接点が開き、キープリレー２１Ｄのリレー接点が閉じる。キープリレー２１Ｄは、リレー接点が閉じた状態によりロック信号を事故判定部１７に送る。また、キープリレー２１Ｄは、ハイレベルの不使用制御信号を接点入力部１５から受け取ったとき、または、ハイレベルのＡＲＥ不使用信号を誤挿入検出回路２２から受け取ったとき、リレー接点を閉じてロック信号を事故判定部１７に送る。
【００４３】
次に、この実施の形態の動作について、Ａ変電所と送電線１０１を例として説明する。装置全体の平常使用では、自動復旧装置１Ａが通常に使用され、テストプラグ２００が差し込まれていないので、自動復旧装置１Ａの条件は、
ａ．自動復旧装置１Ａが使用中である
ｂ．テストプラグ２００が未挿入
ｃ．母線２Ａの電圧が「有り」
ｄ．送電線１０１の電圧が「有り」
ｅ．自動復旧装置１Ａの装置全体の平常使用である
ｆ．母線２Ａの電圧（テストターミナル１１経由）が「有り」
ｇ．送電線１０１の電圧（テストターミナル１１経由）が「有り」
である。このとき、送電線１０１用の誤挿入検出回路２２の接点は、図９に示すように、次の状態である。
ａ．ＡＲＥ接点ＳＴ１…自動復旧装置１Ａの使用中で「接」
ｂ．ＴＴ接点ＳＴ２…テストプラグ２００の未挿入で「離」
ｃ．ＶＢ接点ＳＴ３…母線２Ａの電圧「有り」で「接」
ｄ．ＶＬ接点ＳＴ４…送電線１０１の電圧「有り」で「接」
ｅ．４３ＴＬ接点ＳＴ５…自動復旧装置１Ａの装置全体の平常使用で「接」
ｆ．８４Ｂ接点ＳＴ６…母線２Ａの電圧（自動復旧装置１Ａ内）「有り」で「離」
ｇ．８４Ｌ接点ＳＴ７…送電線１０１の電圧（自動復旧装置１Ａ内）「有り」で「離」
なお、上記ａ〜ｇの「離」は、リレー要素のリレー接点やスイッチの接点が開いた状態を表す。したがって、ＴＴ接点ＳＴ２、８４Ｂ接点ＳＴ６および８４Ｌ接点ＳＴ７が開いているので、誤挿入検出回路２２はＡＲＥ不使用信号をＡＲＥ不使用制御回路２１に出力しない。これにより、Ａ変電所の自動復旧装置１ＡのＡＲＥ機能は有効である。こうした状態のときに、テストプラグ２００が未挿入であり、テストターミナル１１のＴＴ接点ＳＴ２が常に開いているので、例えば、８４Ｂ接点ＳＴ６や８４Ｌ接点ＳＴ７の開閉状態が変化しても、ＡＲＥ不使用信号がＡＲＥ不使用制御回路２１に加えられることはない。
【００４４】
ところで、作業者が自動復旧装置１Ａを試験するために、開放プラグであるテストプラグ２００を自動復旧装置１Ａに差し込む。このとき、作業者が例えば装置全体の平常使用と試験とを切り換えるスイッチの操作を失念し、スイッチを平常使用の状態のままでテストプラグ２００を自動復旧装置１Ａに差し込むと、テストターミナル１１内での接続が遮断されるので、自動復旧装置１Ａの条件は、
ａ．自動復旧装置１Ａが使用中である
ｂ．テストプラグ２００が挿入
ｃ．母線２Ａの電圧が「有り」
ｄ．送電線１０１の電圧が「有り」
ｅ．自動復旧装置１Ａの装置全体の平常使用である
ｆ．母線２Ａの電圧（テストターミナル１１経由）が「無し」
ｇ．送電線１０１の電圧（テストターミナル１１経由）が「無し」
になる。このとき、送電線１０１用の誤挿入検出回路２２の接点は、図１０に示すように、次の状態になる。
ａ．ＡＲＥ接点ＳＴ１…自動復旧装置１Ａの使用中で「接」
ｂ．ＴＴ接点ＳＴ２…テストプラグ２００の挿入で「接」
ｃ．ＶＢ接点ＳＴ３…母線２Ａの電圧「有り」で「接」
ｄ．ＶＬ接点ＳＴ４…送電線１０１の電圧「有り」で「接」
ｅ．４３ＴＬ接点ＳＴ５…自動復旧装置１Ａの装置全体の平常使用で「接」
ｆ．８４Ｂ接点ＳＴ６…母線２Ａの電圧（テストターミナル１１経由）「無し」で「接」
ｇ．８４Ｌ接点ＳＴ７…送電線１０１の電圧（テストターミナル１１経由）「無し」で「接」
したがって、すべての接点が閉じるので、誤挿入検出回路２２はＡＲＥ不使用信号をＡＲＥ不使用制御回路２１に出力する。これにより、ＡＲＥ不使用制御回路２１では、キープリレー２１ＤのＳ端子がハイレベルとなり、キープリレー２１Ｄは、ロック信号を事故判定部１７に送り、事故判定部１７をロックする。
【００４５】
こうして、この実施の形態によれば、自動復旧装置１Ａ、１Ｂを試験する際の誤遮断を防止することができる。しかも、自動復旧装置１Ｂにあらかじめ備わっているリレー要素を多用するので、誤遮断を防止のための装置の構造を簡単化し、誤挿入検出回路２２のコストを抑えることが可能である。
【００４６】
（実施の形態２）
この実施の形態では、実施の形態１の誤挿入検出回路２２を変更している。なお、この実施の形態では、先に説明した実施の形態１と同一もしくは同一と見なされる構成要素には、それと同じ参照符号を付けて、その説明を省略する。また、この実施の形態では、実施の形態１のＡ変電所を例としている。
【００４７】
この実施の形態による誤挿入検出回路２２は、二重母線と一重母線との併用を可能にするものであり、図１１に示すように、実施の形態１の４３ＴＬ接点ＳＴ５の次に、二重母線の際に用いられる二重母線回路２２Ａと、一重母線の際に用いられる一重母線回路２２Ｂとの並列回路を接続している。なお、図１１では、すべての接点が開いた状態を表している。二重母線回路２２Ａは接続端子２２Ａ１と８４Ｂ接点ＳＴ８と８４Ｌ接点ＳＴ９との直列回路であり、一重母線回路２２Ｂは接続端子２２Ａ２とスイッチ２２Ａ３と８４Ｂ接点ＳＴ１０と８４Ｌ接点ＳＴ１１との直列回路である。そして、接続具２２Ａ４によって、二重母線回路２２Ａの接続端子２２Ａ１間または一重母線回路２２Ｂの接続端子２２Ａ２間を接続する。なお、８４Ｂ接点ＳＴ８、ＳＴ１０は実施の形態１の８４Ｂ接点ＳＴ６と同じであり、８４Ｌ接点ＳＴ９、ＳＴ１１は実施の形態１の８４Ｌ接点ＳＴ７と同じである。
【００４８】
接続端子２２Ａ１は、Ａ変電所が二重母線である場合に、接続具２２Ａ４によって接続され、接続端子２２Ａ２は、Ａ変電所が一重母線である場合に、接続具２２Ａ４によって接続される。
【００４９】
スイッチ２２Ａ３は試験用のスイッチである。スイッチ２２Ａ３は次の理由により設けられている。二重母線の場合、図１２（ａ）に示すように、テストプラグ２００の端子２２１Ａ、２２１Ｂ（図６）に試験電圧を加えて行う、ＣＢ（遮断器）の遮断試験時、甲母線、乙母線の断路器ＢＬＳを切ると、母線電圧「無し」の状態になる。この結果、試験中は母線電圧検出回路２３ＡのＶＢ接点ＳＴ３が「離」の状態になり、誤挿入検出回路２２はＡＲＥ不使用信号をＡＲＥ不使用制御回路２１に出力しない。一方、一重母線の場合は図１２（ｂ）に示す構造であり、実ＣＢ遮断試験時、母線の断路器ＢＬＳを切っても、母線電圧「無し」の状態にならない。このために、試験中は母線電圧検出回路２３ＡのＶＢ接点ＳＴ３が「接」の状態を保ち、誤挿入検出回路２２がＡＲＥ不使用信号をＡＲＥ不使用制御回路２１に出力する。したがって、ＣＢ遮断試験時にスイッチ２２Ａ３を操作して、スイッチ２２Ａ３を開いた状態にし、誤挿入検出回路２２がＡＲＥ不使用信号をＡＲＥ不使用制御回路２１に出力しないようにする。
【００５０】
なお、遮断器ＣＢの遮断試験以外にも、試験項目として例えば、
ａ．構造点検
ｂ．絶縁抵抗測定
ｃ．単体特性試験
ｄ．総合動作試験
があり、試験時には実際の系統から自動復旧装置１Ａを切り離しておく。上記ａの場合、自動復旧装置１Ａの外観や配線の緩みを確認し、上記ｂの場合、自動復旧装置１Ａの絶縁抵抗値を測定する。上記ｃの場合、自動復旧装置１Ａ内のリレー要素の単体試験を行い、上記ｄの場合、各事例（例えば、保護継電器からの遮断後、自動復旧装置１Ａで投入成功する事例）の模擬を行う。
【００５１】
こうした試験の中で、例えば上記ｄの場合、例えば８４Ｂ接点ＳＴ１０および８４Ｌ接点ＳＴ１１は「接」、「離」によって４通りの組み合わせがあり、特に８４Ｂ接点ＳＴ１０および８４Ｌ接点ＳＴ１１が共に「接」になった場合に、誤挿入検出回路２２がＡＲＥ不使用信号をＡＲＥ不使用制御回路２１に出力する可能性があるので、試験用のスイッチ２２Ａ３が有効に作用する。
【００５２】
こうして、この実施の形態により、母線が一重母線や二重母線であっても、遮断器の遮断試験時に、誤挿入検出回路２２がＡＲＥ不使用信号をＡＲＥ不使用制御回路２１にしないようにすることができる。さらに、１つの装置で二重母線と一重母線との併用を可能にする。
【００５３】
以上、この発明の実施の形態を詳述してきたが、具体的な構成はこの実施の形態に限られるものではなく、この発明の要旨を逸脱しない範囲の設計の変更等があっても、この発明に含まれる。例えば、実施の形態２のスイッチ２２Ａ３を実施の形態１の誤挿入検出回路２２に設けるようにしてもよい。
【図面の簡単な説明】
【００５４】
【図１】この発明の実施の形態１による自動復旧装置の設置例を示す図である。
【図２】自動復旧装置による自動復旧の様子を説明する図であり、図２（ａ）は事故発生の様子を示す図、図２（ｂ）は送電線の遮断の様子を示す図である。
【図３】自動復旧装置の構成を示す図である。
【図４】テストターミナルの断面を示す断面図である。
【図５】テストターミナルにテストプラグを差し込んだ状態を示す図である。
【図６】テストプラグを示す図であり、図６（ａ）はテストプラグの平面図、図６（ｂ）はテストプラグの側面図である。
【図７】誤挿入検出回路の一例を示す構成図である。
【図８】ＡＲＥ不使用制御回路の一例を示す構成図である。
【図９】誤挿入検出回路の状態を示す図である。
【図１０】誤挿入検出回路の状態を示す図である。
【図１１】実施の形態２による誤挿入検出回路を示す構成図である。
【図１２】母線を説明する図であり、図１２（ａ）は二重母線、図１２（ｂ）は一重母線を示す図である。
【符号の説明】
【００５５】
１Ａ、１Ｂ自動復旧装置
１１  テストターミナル
１２  入力変換器
１３  第１処理部
１４  第２処理部
１５  接点入力部
１６  接点出力部
１７  事故判定部
１８  接点出力部
２１  ＡＲＥ不使用制御回路
２２  誤挿入検出回路
２３Ａ、２３Ｂ  電圧検出回路
ＳＴ１  ＡＲＥ接点（第３の接点）
ＳＴ２  ＴＴ接点（第４の接点）
ＳＴ３  ＶＢ接点（第１の接点）
ＳＴ４  ＶＬ接点（第２の接点）
ＳＴ５  ４３ＴＬ接点（第５の接点）
ＳＴ６、ＳＴ８  ８４Ｂ接点（第６の接点）
ＳＴ７、ＳＴ９  ８４Ｌ接点（第７の接点）
ＳＴ１０  ８４Ｂ接点（第８の接点）
ＳＴ１１  ８４Ｌ接点（第９の接点）
【図１】
0004879198.tif 000002
【図２】
0004879198.tif 000003
【図３】
0004879198.tif 000004
【図４】
0004879198.tif 000005
【図５】
0004879198.tif 000006
【図６】
0004879198.tif 000007
【図７】
0004879198.tif 000008
【図８】
0004879198.tif 000009
【図９】
0004879198.tif 000010
【図１０】
0004879198.tif 000011
【図１１】
0004879198.tif 000012
【図１２】
0004879198.tif 000013